(57)【要約】【課題】  排出される媒体の巻き上がりを抑止することができると共に折れ曲がりを防止することができる排出媒体受け装置及びその排出媒体受け装置を備えた記録装置と液体噴射装置を提供すること。【解決手段】  排出媒体を受ける媒体受け４００へ搬送される前記排出媒体を案内支持する排出サポート４５０が、側面視搬送方向と直交する方向に搬送上流端部を軸として角度調整可能に構成されている。これにより、排出媒体の形態に対応して媒体を案内支持することができるので、媒体排出部近傍での排出媒体の巻き上がりを抑止することができ、また媒体排出部近傍での排出媒体の折れ曲がりを防止することができる。【選択図】      図９
2007062977.tif 000002
【特許請求の範囲】
【請求項１】
排出媒体を受ける媒体受けへ搬送される前記排出媒体を案内支持する排出サポートを備え、前記排出サポートが側面視搬送方向と直交する方向に搬送上流端部を軸として角度調整可能に構成されていることを特徴とする排出媒体受け装置。
【請求項２】
前記排出サポートは、少なくとも鉛直方向及び搬送方向と平行方向に角度調整可能に構成されていることを特徴とする請求項１に記載の排出媒体受け装置。
【請求項３】
前記排出サポートは、搬送直交方向に所定間隔を空けて複数並されていることを特徴とする請求項１又は２に記載の排出媒体受け装置。
【請求項４】
前記排出サポートは、搬送下流端部が搬送面に対して反り返った形状に形成されていることを特徴とする請求項１〜３の何れか一項に記載の排出媒体受け装置。
【請求項５】
被記録媒体に記録する記録装置であって、
請求項１〜４の何れか一項に記載の排出媒体受け装置を備えたことを特徴とする記録装置。
【請求項６】
被噴射媒体に液体を噴射する液体噴射装置であって、
請求項１〜４の何れか一項に記載の排出媒体受け装置を備えたことを特徴とする液体噴射装置。
【発明の詳細な説明】
【技術分野】
【０００１】
本発明は、排出媒体を案内支持して受ける排出媒体受け装置及びその排出媒体受け装置を備えた記録装置と液体噴射装置に関する。
【背景技術】
【０００２】
被記録媒体として例えばＪＩＳ規格のＡ０判やＪＩＳ規格のＢ０判といった比較的大型のサイズの用紙にまで記録できる大型の記録装置の１つであるインクジェット式プリンタがある。このような大型のインクジェット式プリンタの場合、記録が完了した用紙は排紙部から前方側の斜め下方に向けて排紙され、排紙部の下方に配設された排紙受け装置により受け取られるようになっている。
【０００３】
用紙としてはロール紙やカット紙が使用されるが、特にロール紙の先端部は巻き癖が残存している場合があり、排紙部近傍で後方側へ巻き上がろうとする現象が発生する。そこで、排紙部の下部で鉛直方向に突出支持された部材を設け、この部材に排紙されるロール紙の先端部を当接させて後方側への巻き上がりを抑止するインクジェット式プリンタが提案されている（特許文献１参照）。
【０００４】
【特許文献１】特開２００１−１７１８７９号公報
【発明の開示】
【発明が解決しようとする課題】
【０００５】
インクジェット式プリンタにて高デューティで記録する場合、用紙が波打つ現象、即ちコックリングが発生し易い。このようなコックリングが発生すると、用紙の巻き癖は解消されるため、上記巻き上がりが発生することは無く、用紙は排紙部から前方側の斜め下方に向けて真直ぐに排紙される。ところが、この排紙が続くと用紙は排紙部近傍で支持された片持ち梁状態となるので、ある程度排紙された所で用紙の自重により排紙部近傍で折れ曲がりが発生する場合がある。このような場合、用紙が折れ曲がるときの急激な負荷により記録ヘッド付近で用紙姿勢が変動し、記録ムラが発生するおそれがある。上述した従来のインクジェット式プリンタでは、用紙の巻き上がりを抑止することはできるが、用紙の折れ曲がりを防止することができない。
【０００６】
本発明は、上記のような種々の課題に鑑みなされたものであり、その目的は、排出される媒体の巻き上がりを抑止することができると共に折れ曲がりを防止することができる排出媒体受け装置及びその排出媒体受け装置を備えた記録装置と液体噴射装置を提供することにある。
【課題を解決するための手段】
【０００７】
上記目的達成のため、本発明の排出媒体受け装置では、排出媒体を受ける媒体受けへ搬送される前記排出媒体を案内支持する排出サポートを備え、前記排出サポートが側面視搬送方向と直交する方向に搬送上流端部を軸として角度調整可能に構成されていることを特徴としている。これにより、排出媒体の形態に対応して媒体を案内支持することができるので、媒体排出部近傍での排出媒体の巻き上がりを抑止することができ、また媒体排出部近傍での排出媒体の折れ曲がりを防止することができる。
【０００８】
また、前記排出サポートは、少なくとも鉛直方向及び搬送方向と平行方向に角度調整可能に構成されていることを特徴としている。これにより、排出媒体の先端部を排出サポートに当接させることができるので、排出媒体の巻き上がりを抑止することができ、また排出媒体を裏面側から排出サポートで支持することができるので、排出媒体の折れ曲がりを防止することができる。
【０００９】
また、前記排出サポートは、搬送直交方向に所定間隔を空けて複数並されていることを特徴としている。これにより、種々のサイズの媒体に対応することができる。また、前記排出サポートは、搬送下流端部が搬送面に対して反り返った形状に形成されていることを特徴としている。これにより、排出サポートの搬送下流端部付近において、排出される媒体を反り返った形状に沿って導くことができ、また排出される媒体が反り返った形状において折り曲がるときに緩やかに変位させることができる。
【００１０】
上記目的達成のため、本発明の被記録媒体に記録する記録装置では、上記各排出媒体受け装置を備えたことを特徴としている。これにより、上記各作用を奏する記録装置を提供することができる。また、上記目的達成のため、本発明の被噴射媒体に液体を噴射する液体噴射装置では、上記各排出媒体受け装置を備えたことを特徴としている。これにより、上記各作用を奏する液体噴射装置を提供することができる。
【発明を実施するための最良の形態】
【００１１】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１２】
図１は、本発明の実施の形態に係る記録装置の１つであるプリンタの構成例を示す斜視図であり、図２は、そのプリンタの主要部の内部構成例を示す斜視図である。図１及び図２に示すプリンタ１００は、例えばＪＩＳ規格のＡ０判やＪＩＳ規格のＢ０判といった比較的大型のサイズの用紙（媒体）にまで記録できる大型のインクジェット式プリンタであり、給紙部１１０、記録部１２０、排紙部１３０、脚部１４０がこの順で上部から配設された構成となっている。用紙は、プリンタ１００の上方から前方側の斜め下方に向けて搬送される。
【００１３】
給紙部１１０は一体化された記録部１２０と排紙部１３０に対して分離可能に構成されており、これらはプリンタ本体として構成されている。そして、このプリンタ本体は脚部１４０に対して分離可能に構成されている。ユーザは、プリンタ本体と脚部１４０を分離してコンパクトな状態で運搬作業を行うことができる。排紙部１３０の下部には、本発明の特徴的な部分である排紙サポート（排出サポート）４５０が複数（本例では５つ）配設されている。これらの排紙サポート４５０は、排紙される用紙を受ける用紙受け装置（排出媒体受け装置）４００（図９参照）を構成する部材であり、排紙される用紙を案内支持して巻き上がりを抑止することができると共に折れ曲がりを防止することができる。尚、この排紙サポート４５０の詳細については後述する。
【００１４】
給紙部１１０は、図１に示すように、記録部１２０の上部後方に突き出るように設けられている。そして、給紙部１１０の内部には、図２に示すように、２本のロール紙（用紙）がセット可能なロール紙ホルダ１１１が斜め上下に設けられ、給紙部１１０の前面には、図１及び図２に示すように、跳ね上げ式の開閉可能なロール紙カバー１１２がロール紙ホルダ１１１を覆うように取り付けられている。このロール紙カバー１１２により、ロール紙の汚染を防止することができると共に、ユーザの安全を確保することができる。
【００１５】
ロール紙ホルダ１１１は、図２に示すように、ロール紙を保持するスピンドル１１３と、給紙部１１０の両側壁内面に取り付けられて、スピンドル１１３の着脱及び懸架が可能な一対のスピンドル受け１１４、１１５を備えている。そして、スピンドル１１３は、中央にロール紙が装着された後、両端がスピンドル受け１１４、１１５に装着され、回転可能に軸支持されるようになっている。ロール紙カバー１１２は、図１及び図２に示すように、上部が回動可能に支持されており、下部を持って持ち上げ、あるいは押し下げることにより開閉するようになっている。ユーザは、ロール紙カバー１１２の開閉を容易に行うことができ、ロール紙の交換作時間等を短縮させることができる。
【００１６】
記録部１２０は、図２に示すように、記録ヘッド１２１を搭載したキャリッジ１２２、記録ヘッド１２１と記録を実行する為の図示しない制御部とを接続するフレキシブルフラットケーブル（以下、ＦＦＣという）１２３、記録ヘッド１２１とインクが入った図示しないインクカートリッジとをつなぐインクチューブ１２４、ロール紙を副走査方向に搬送する図示しない紙送りローラ、ロール紙の浮き上がりを防止する図示しない紙吸引手段等を備えている。そして、記録部１２０の上面及び前面には、図１及び図２に示すように、上蓋１２５及び前蓋１２６が記録ヘッド１２１やキャリッジ１２２等を覆うように取り付けられている。
【００１７】
記録ヘッド１２１は、ブラックインクを吐出するブラックインク用記録ヘッドと、イエロー、ライトシアン、シアン、ライトマゼンタ、マゼンタ等の各色のインクを吐出する複数のカラーインク用記録ヘッドとを備えている。そして、記録ヘッド１２１は、圧力発生室とそれに繋がるノズル開口が設けられており、圧力発生室内にインクを貯留して所定圧で加圧することにより、ノズル開口からロール紙に向けてコントロールされた大きさのインク滴を吐出するようになっている。
【００１８】
キャリッジ１２２は、図２に示すように、主走査方向に設けられているレール１２７にコロを介して吊り下げられ、キャリッジベルト１２８に連結されており、図示しないキャリッジ駆動装置によってキャリッジベルト１２８が作動すると、キャリッジベルト１２８の動きに連行され、レール１２７に案内されて往復移動するようになっている。
【００１９】
ＦＦＣ１２３は、一端が制御部のコネクタに接続され、他端が記録ヘッド１２１のコネクタに接続されており、記録信号を制御部から記録ヘッド１２１に送るようになっている。インクチューブ１２４は、各色のインク用が配設されており、図示しないインク加圧供給手段を介して各一端が対応する各色のインクカートリッジにつながれ、各他端が対応する各色の記録ヘッド１２１につながれている。そして、インクチューブ１２４は、インク加圧供給手段によって加圧された各色のインクをインクカートリッジから記録ヘッド１２１に送るようになっている。
【００２０】
上蓋１２５は、後部が回動可能に支持されており、前部を持って押し上げ、あるいは押し下げることにより開閉するようになっている。前蓋１２６は、図１及び図２に示すように、下部が回動可能に支持されており、上部を持って押し下げ、あるいは押し上げることにより開閉するようになっている。ユーザは、上蓋１２５や前蓋１２６を開放することにより、それらの開放口を通して内部機構のメンテナンス作業等を行うことができる。
【００２１】
排紙部１３０は、図１及び図２に示すように、ロール紙を副走査方向に搬送する経路の一部を成す前面側に傾斜した排紙ガイド１３１と、ロール紙を副走査方向に搬送する図示しない排紙ローラを備えている。また、排紙部１３０の前面側から見て右側には、図１及び図２に示すように、インクカートリッジを収納保持するカートリッジホルダ１５０が配設されている。カートリッジホルダ１５０は、透明もしくは半透明のカートリッジカバー１５１によって覆われている。カートリッジカバー１５１は、その下部の回動軸を中心に回動可能に取り付けられている。ユーザは、カートリッジカバー１５１を軽く押して係止部を外しカートリッジホルダ１５０を開放することにより、インクカートリッジの交換作業等を行うことができる。
【００２２】
脚部１４０は、図１及び図２に示すように、移動用のコロ１４１を有する２本の支持柱１４２と、これらの支持柱１４２の間に掛け渡されている補強棒１４３を備えている。そして、支持柱１４２の上部にプリンタ本体１１０、１２０、１３０が載置されネジ止め固定されるようになっている。ユーザは、プリンタ１００のメンテナンス等のために背面側を見たいときや、プリンタ１００の設置場所を変更したいときに、コロ１４１によりプリンタ１００を容易に移動させることができる。
【００２３】
このような構成において、インクジェット式プリンタ１００にてロール紙に記録する場合は、先ず、給紙部１１０からロール紙ホルダ１１１を構成するスピンドル１１３を取り出し、図３（Ａ）に示すように、スピンドル１１３に挿入されているロール紙押さえ１１３ａをスピンドル１１３の一端から引き抜く。そして、図３（Ｂ）に示すように、スピンドル１１３の一端をロール紙Ｒの軸穴Ｃの一端から挿入して貫通させ、図３（Ｃ）に示すように、ロール紙Ｒの軸穴Ｃの一端をスピンドル１１３の他端側に挿入固定されているロール紙押さえ１１３ｂにはめ込んで当接させる。続いて、ロール紙押さえ１１３ａをスピンドル１１３の一端から挿入して、ロール紙Ｒの軸穴Ｃの他端にはめ込む。これにより、ロール紙Ｒはスピンドル１１３と共に回転可能となる。
【００２４】
次に、図４に示すように、ロール紙Ｒが挿入されたスピンドル１１３の両端を持ってインクジェット式プリンタ１００の前後方向に対して斜めに向けた状態、すなわちロール紙Ｒが挿入されたスピンドル１１３の他端側を一方のスピンドル受け１１４に向けた状態にする。ここで、このスピンドル受け１１４は水平方向に回転可能に構成されており、通常はスピンドル１１３の端部を受ける各スピンドル受け１１４、１１５の窪み１１４ａ、１１５ａは対向させておくが、ロール紙Ｒが挿入されたスピンドル１１３をセットするときは、図５に示すように、一方のスピンドル受け１１４を回転させて他方のスピンドル受け１１５に対して約４５度の角度を付けておく。
【００２５】
その後、ロール紙Ｒが挿入されたスピンドル１１３の他端部を一方のスピンドル受け１１４の窪み１１４ａに掛け、ロール紙Ｒが挿入されたスピンドル１１３と共にそのスピンドル受け１１４を回転させる。そして、各スピンドル受け１１４、１１５の窪み１１４ａ、１１５ａを対向させて、ロール紙Ｒが挿入されたスピンドル１１３の一端部を他方のスピンドル受け１１５の窪み１１５ａに掛ける。これにより、ロール紙Ｒが挿入されたスピンドル１１３を給紙部１１０に容易にセットすることができる。
【００２６】
次に、図６に示すように、ロール紙Ｒの先端を下方に引き出して記録部１２０の搬送経路を通し、さらに図７に示すように、排紙部１３０の搬送経路まで通す。そして、図８に示すように、ロール紙Ｒを巻き取り方向に回転させてロール紙Ｒの先端を例えば排紙ガイド１３１に形成されているマーカＭに位置決めする。その後、インクジェット式プリンタ１００を起動して、ロール紙Ｒを副走査方向に給紙しつつ記録ヘッド１２１を主走査方向に移動させながらインク滴を吐出させ、ロール紙Ｒに所定の情報を記録して排紙する。最後に、排紙されるロール紙Ｒは、図９に示す排紙部１３０の下部に装着されている排紙サポート４５０を通って脚部１４０の間に取り付けられている用紙受け装置４００に排紙される。以上はロール紙について説明したが、カット紙でも同様である。次に、排紙サポート４５０を含む用紙受け装置４００の詳細について説明する。
【００２７】
図９は、上記用紙受け装置４００の概略を示す斜視図である。この用紙受け装置４００は、脚部１４０の各支持柱１４２の後部に配設された一対の後部フック部材４１０、支持柱１４２の前部の上部に配設された前部上フック部材４２０、支持柱１４２の前部の下部に配設された前部下フック部材４３０、排紙される用紙を受けるシート部材（媒体受け）４４０（図１５参照）及び排紙される用紙を案内支持する排紙サポート４５０を備えている。
【００２８】
各後部フック部材４１０は、ピン状に形成されて各支持柱１４２の後部上面にそれぞれ立設されている。前部上フック部材４２０は、略Ｕ字状に形成されて支持柱１４２間に配置され、各支持柱１４２の前部の上部に対向するようにそれぞれ配設されたフックホルダ４２５（図１４参照）に図示ａ方向にスライド自在に保持されている。前部下フック部材４３０は、略Ｕ字状に形成されて支持柱１４２間に配置され、各支持柱１４２の前部の下部に図示ｂ方向に回動自在に取り付けられている。排紙サポート４５０は、種々の用紙のサイズに対応可能なように、プリンタ本体の下面に主走査方向に所定間隔を空けて複数（本例では５つ）装着されており、図示ｃ方向に旋回自在に取り付けられている。
【００２９】
図１０〜図１２は、上記排紙サポート４５０を示す斜視図である。この排紙サポート４５０は、装着部４５１とサポート部４５２を備えている。装着部４５１は、上面と一側面が開口された箱型状に形成されており、その上面開口の上縁における側面開口に対向する側の２つの角部には、位置決め用凸部４５１ａがそれぞれ形成され、上面開口の上縁における側面開口側の２つの角部には、係止用爪４５１ｂがそれぞれ突設されている。また、各係止用爪４５１ｂが形成されている２つの側面４５１ｃの対向内面における各係止用爪４５１ｂの下方には、サポート部４５２を所定角度で保持するための係止用凸部４５１ｅがそれぞれ形成され、更に各係止用凸部４５１ｅの下方にはサポート部４５２の回転軸４５２ｃを回転自在に保持する切欠き部４５１ｄがそれぞれ形成されている。
【００３０】
サポート部４５２は、帯板状に形成されており、平面部４５２ａとその平面部４５２ａを両側から挟み込むように一体化された側面部４５２ｂを備えている。用紙を案内支持する際の抵抗を小さくして案内支持精度を向上させるため、平面部４５２ａより突き出た両側面部４５２ｂの縁部が用紙と接触する案内支持面として機能するようになっている。更に、サポート部４５２の一端側の両側面部４５２ｂには回転軸４５２ｃと装着部４５１の係止用凸部４５１ｅに係止される係止用凸部４５２ｅがそれぞれ突設されている。そして、その一端側から平面部４５２ａと両側面部４５２ｂの間に沿って所定長の切り込みが入れられており、片持ち梁状の回転軸保持部４５２ｄが形成されている。また、サポート部４５２の他端側は、用紙の案内支持面に対して反り返った形状に形成されている。これにより、排紙される用紙を反り返った形状に沿って導くことができ、また排紙される用紙が反り返った形状において折り曲がるときに緩やかに変位させることができる。
【００３１】
ユーザは、サポート部４５２の側面部４５２ｂを両側から指で摘み、平面部４５２ａに浮き彫りされている矢印方向に力を加えて回転軸保持部４５２ｄを内側に撓ませる。この状態でサポート部４５２の係止用凸部４５２ｅが装着部４５１の係止用凸部４５１ｅよりも上方に位置するようにして、サポート部４５２の回転軸４５２ｃを装着部４５１の切欠き部４５１ｄに挿入する。これにより、装着部４５１へのサポート部４５２の取り付けが完了する。そして、装着部４５１の位置決め用凸部４５１ａをプリンタ本体の下面に形成されている図示しない位置決め用凹部に挿入し、装着部４５１の係止用爪４５１ｂをプリンタ本体の下面に形成されている図示しない係止用穴に係止する。これにより、図９に示すように、プリンタ１００への排紙サポート４５０の取り付けが完了する。
【００３２】
このような構成の排紙サポート４５０は、図９の矢印ｃで示す側面視搬送方向と直交する方向に搬送上流端部の回転軸４５２ｃを中心に旋回して角度調整可能となっている。即ち、図１０に示すように、装着部４５１に対しサポート部４５２が開き角で直角（鉛直方向）に保持されている状態と、図１１に示すように、装着部４５１に対しサポート部４５２が開き角で１２０度（排紙ガイド１３１と略面一の搬送方向と平行方向）に保持されている状態に調整することができる。直角に保持されている状態では、排紙されるロール紙の巻き上がりを抑止することができ（以下、巻上抑止モードという）、１２０度に保持されている状態では、排紙されるロール紙の折れ曲がりを防止することができる（以下、折曲防止モードという）が、これらの作用は後述する。
【００３３】
巻上抑止モードから折曲防止モードに調整する場合は、ユーザはサポート部４５２を持って単に持ち上げるのみで、サポート部４５２の係止用凸部４５２ｅが装着部４５１の係止用凸部４５１ｅの上方から係止用凸部４５１ｅを乗り越え、係止用凸部４５１ｅの下方に入り込んで係止される。これにより、サポート部４５２は装着部４５１に対し開き角で１２０度に保持される。一方、折曲防止モードから巻上抑止モードに調整する場合は、ユーザはサポート部４５２の側面部４５２ｂを両側から指で摘み、平面部４５２ａに浮き彫りされている矢印方向に力を加えて回転軸保持部４５２ｄを内側に撓ませ、サポート部４５２の係止用凸部４５２ｅを係止用凸部４５１ｅの下方から乗り越えさせて係止状態を解除する。そして、ユーザがサポート部４５２の側面部４５２ｂから指を離すことにより、サポート部４５２は自重で垂れ下がる。これにより、サポート部４５２は装着部４５１に対し開き角で直角に保持される。
【００３４】
図１３（Ａ）、（Ｂ）、（Ｃ）は、前部上フック部材４２０の詳細を示す三面図である。この前部上フック部材４２０は、ステンレス等の金属で成る棒材４２２の先端がＵ字状に曲げられており、後端にプラスチックで成る保持材４２３がはめ込まれた構成となっている。この保持材４２３には、後で詳述する案内部４２３ａ及び係止部４２３ｂが突出形成されている。
【００３５】
図１４は、フックホルダ４２５の詳細を示す斜視図である。このフックホルダ４２５は、第１のフックホルダ４２６と第２のフックホルダ４２７を備えている。第１のフックホルダ４２６には、上記保持材４２３の案内部４２３ａが挿入可能な一端側から他端側に貫通した第１の溝部４２６ａと、この第１の溝部４２６ａ内に形成され、上記棒材４２２がスライド可能にはめ込まれる第２の溝部４２６ｂが形成されている。
【００３６】
第２のフックホルダ４２７には、上記保持材４２３の案内部４２３ａが挿入可能な一端が閉じた溝部４２７ａと、この溝部４２７ａの閉じた端部内に形成され、上記保持材４２３の係止部４２３ｂが着脱される凹部４２７ｂが形成されている。そして、第１のフックホルダ４２６と第２のフックホルダ４２７は、第１の溝部４２６ａと溝部４２７ａが間隔をあけて連なるように配設されている。
【００３７】
このような構成において、各前部上フック部材４２０は、図９に示すように、図示矢印ａ方向、すなわちインクジェット式プリンタ１００の前面方向に引き出し・背面方向に押し込み可能になっている。すなわち、前部上フック部材４２０がインクジェット式プリンタ１００の前面側にて完全に引き出されているときは、図１５（Ａ）に示すように、棒材４２２は第１のフックホルダ４２６の第２の溝部４２６ｂに沿って後端方向へスライドし、保持材４２３の案内部４２３ａが第１のフックホルダ４２６の第１の溝部４２６ａ内にはまり込んでいる。これにより、前部上フック４２１は位置決め固定されるようになっている。
【００３８】
一方、前部上フック部材４２０がインクジェット式プリンタ１００の前面側にて完全に押し込まれているときは、図１５（Ｂ）に示すように、棒材４２２は第１のフックホルダ４２６の第２の溝部４２６ｂに沿って先端方向へスライドし、保持材４２３の案内部４２３ａが第２のフックホルダ４２６の溝部４２７ａに沿って閉じた端部側にスライドして、保持材４２３の係止部４２３ｂが凹部４２７ｂ内にはまり込んでいる。これにより、前部上フック４２１は位置決め固定されるようになっている。
【００３９】
シート部材４４０は、図１６に示すように、布もしくは軟質プラスチックシートで矩形状に形成されており、両端部とその中間部は３本のシャフト４４１、４４２、４４３にそれぞれ沿って係留されている。そして、各シャフト４４１、４４２、４４３が、後部フック部材４１０、前部上フック部材４２０、前部下フック部材４３０に係止されるようになっている。通常、各シャフト４４１、４４２、４４３は、それぞれ平行となるように各フック４１０、４２０、４３０に係止される。尚、シート部材４４０は、後部フック部材４１０、前部上フック部材４２０、前部下フック部材４３０に対し着脱自在に構成したが、装着固定に構成しても良い。
【００４０】
以上のような構成の受け装置４００は、排紙サポート４５０の角度を調整することにより、使用する用紙種や記録モードに対応して排紙される用紙を案内支持して巻上抑止モードと折曲防止モードに切り換えることができる。更に、前部上フック部材４２０及び前部下フック部材４３０の配置形態のみを変化させることにより使用態様を変更することが可能となっている。すなわち、前部上フック部材４２０を前後にスライドさせ、前部下フック部材４３０を前後に回動させることにより、前方排紙モードと後方排紙モードに切り換えることができる。このようなモードを変更する際のユーザの動作を図１６〜図１８を参照して説明する。
【００４１】
図１７は、後方排紙モードであって巻上抑止モードである状態を示す図である。これらのモードは、用紙種としては例えばマット紙以外のロール紙のときに使用され、記録モードとしては例えば低デューティのときに使用される。ここで、シート部材４４０は、既に、シャフト４４２の両端部が各後部フック部材４１０に差し込まれ、シャフト４４３の両端部が前部上フック部材４２０のＵ字状先端部に掛けられ、シャフト４４１の両端部が前部下フック部材４３０のＵ字状先端部に掛けられているものとする。
【００４２】
先ず、排紙サポート４５０のサポート部４５２を装着部４５１に対し旋回させて開き角が直角となるように保持させる。次に、前部上フック部材４２０をインクジェット式プリンタ１００の前方にスライドさせて完全に引き出し、続いて、前部下フック部材４３０をインクジェット式プリンタ１００の後方に回動させて略垂直とする。尚、支持柱１４２には、前部下フック部材４３０の回動を略垂直状態で停止させるストッパが設けられている。
【００４３】
これにより、排紙サポート４５０のサポート部４５２は鉛直方向に垂れ下がった状態になるので、排紙される用紙の先端部に巻き癖が残存していても、排紙される用紙の先端部が排紙サポート４５０のサポート部４５２に当接し、用紙の後方側への巻き上がりを抑止することができる。従って、記録精度や排紙精度を高精度な状態で維持することができると共に、記録ヘッド１２１との接触汚染を防止することができる。
【００４４】
また、前部上フック部材４２０のＵ字状先端部は排紙部１３０よりも前方へ引き出された状態になり、前部上フック部材４２０に係止されているシャフト４４３から後部フック部材４１０に係止されているシャフト４４２までの間のシート部材４４０はインクジェット式プリンタ１００の背面側に緩やかに垂れ落ちた状態になる。従って、巻き上がりが抑止された用紙を後方で受けることができる。尚、このときの前部上フック部材４２０に係止されているシャフト４４３から前部下フック部材４３０に係止されているシャフト４４１までの間のシート部材４４０は、Ｕ字状に折り畳められてコンパクトに収納されることになる。
【００４５】
図１８は、後方排紙モードであって折曲防止モードである状態を示す図である。これらのモードは、用紙種としては例えばマット紙のロール紙のときに使用され、記録モードとしては例えば高デューティのときに使用される。ここで、シート部材４４０は、既に、シャフト４４２の両端部が各後部フック部材４１０に差し込まれ、シャフト４４３の両端部が前部上フック部材４２０のＵ字状先端部に掛けられ、シャフト４４１の両端部が前部下フック部材４３０のＵ字状先端部に掛けられているものとする。
【００４６】
先ず、排紙サポート４５０のサポート部４５２を装着部４５１に対し旋回させて開き角が１２０度となるように保持させる。次に、前部上フック部材４２０をインクジェット式プリンタ１００の前方にスライドさせて完全に引き出し、続いて、前部下フック部材４３０をインクジェット式プリンタ１００の後方に回動させて略垂直とする。尚、支持柱１４２には、前部下フック部材４３０の回動を略垂直状態で停止させるストッパが設けられている。
【００４７】
これにより、排紙サポート４５０のサポート部４５２は排紙ガイド１３１と略面一の状態になるので、排紙される用紙にコックリングが発生して用紙が排紙ガイド１３１から前方側の斜め下方に向けて真直ぐに排紙されても、用紙は排紙サポート４５０のサポート部４５２に面支持され、用紙の自重による排紙ガイド１３１端部での折れ曲がりを防止することができる。従って、記録ヘッド１２１付近での用紙姿勢の変動を防止して記録ムラの発生を無くすことができる。尚、排紙サポート４５０のサポート部４５２の先端とシート部材４４０との間には、サポート部４５２からシート部材４４０へ用紙をスムーズに流すために所定の隙間が空けられている。
【００４８】
また、前部上フック部材４２０のＵ字状先端部は排紙部１３０よりも前方へ引き出された状態になり、前部上フック部材４２０に係止されているシャフト４４３から後部フック部材４１０に係止されているシャフト４４２までの間のシート部材４４０はインクジェット式プリンタ１００の背面側に緩やかに垂れ落ちた状態になる。従って、折れ曲がりが防止された用紙を後方で受けることができる。尚、このときの前部上フック部材４２０に係止されているシャフト４４３から前部下フック部材４３０に係止されているシャフト４４１までの間のシート部材４４０は、Ｕ字状に折り畳められてコンパクトに収納されることになる。
【００４９】
図１９は、前方排紙モードである状態を示す図である。このモードは、用紙種としては例えば折れ曲げることができないボード紙や、後方排紙モードではシート部材４４０で用紙を受けることができない長尺印刷のときに使用される。ここで、シート部材４４０は、既に、シャフト４４２の両端部が各後部フック部材４１０に差し込まれ、シャフト４４３の両端部が前部上フック部材４２０のＵ字状先端部に掛けられ、シャフト４４１の両端部が前部下フック部材４３０のＵ字状先端部に掛けられているものとする。
【００５０】
先ず、排紙サポート４５０のサポート部４５２を装着部４５１に対し旋回させて開き角が１２０度となるように保持させる。次に、前部上フック部材４２０をインクジェット式プリンタ１００の後方にスライドさせて完全に押し込み、続いて、前部下フック部材４３０をインクジェット式プリンタ１００の前方に回動させて略水平とする。尚、支持柱１４２には、前部下フック部材４３０の回動を略水平状態で停止させるストッパが設けられている。
【００５１】
これにより、排紙サポート４５０のサポート部４５２は排紙ガイド１３１と略面一の状態になるので、排紙される用紙の後方への巻き込みを防止できると共に、排紙される用紙にコックリングが発生して用紙が排紙ガイド１３１から前方側の斜め下方に向けて真直ぐに排紙されても、用紙は排紙サポート４５０のサポート部４５２に面支持され、用紙の自重による排紙ガイド１３１端部での折れ曲がりを防止することができる。従って、記録ヘッド１２１付近での用紙姿勢の変動を防止して記録ムラの発生を無くすことができる。
【００５２】
また、前部上フック部材４２０のＵ字状先端部は排紙部１３０よりも後方へ引っ込んだ状態になり、前部上フック部材４２０に係止されているシャフト４４３から前部下フック部材４３０に係止されているシャフト４４１までの間のシート部材４４０はインクジェット式プリンタ１００の前面側に緩やかに垂れ落ちた状態になる。従って、折れ曲がりが防止された用紙を前方で受けることができる。
【００５３】
以上のように、本実施形態の用紙受け装置４００によれば、シート部材４４０へ排紙される用紙を案内支持する排紙サポート４５０が、側面視搬送方向と直交する方向に搬送上流端部を軸として角度調整可能に構成されているので、排紙される用紙の形態に対応して用紙を案内支持することができ、排紙ガイド１３１の端部近傍での用紙の巻き上がりを抑止することができると共に折れ曲がりを防止することができる。
【００５４】
また、排紙サポート４５０は少なくとも鉛直方向及び搬送方向と平行方向に角度調整可能に構成されているので、排紙される用紙の先端部を排紙サポート４５０に当接させて、排紙される用紙の巻き上がりを抑止することができ、また排紙される用紙を裏面側から排紙サポート４５０で支持して、排紙される用紙の折れ曲がりを防止することができる。尚、上述した実施形態では、排紙サポート４５０の角度調整は２段階としたが、任意の段階で良い。
【００５５】
また、排紙サポート４５０は搬送直交方向に所定間隔を空けて複数並されているので、種々のサイズの用紙に対応することができる。尚、上述した実施形態では、排紙サポート４５０を５つ配設したが、任意の数で良い。また、排紙サポート４５０は搬送下流端部が搬送面に対して反り返った形状に形成されているので、排紙される用紙を反り返った形状に沿って導くことができ、また排紙される用紙が反り返った形状において折り曲がるときに緩やかに変位させることができる。
【産業上の利用可能性】
【００５６】
媒体受け装置を備えた記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００５７】
【図１】本発明の実施の形態に係るプリンタの構成例を示す斜視図である。
【図２】図１のプリンタの主要部の内部構成例を示す斜視図である。
【図３】図１のプリンタの使用手順を示す第１の図である。
【図４】図１のプリンタの使用手順を示す第２の図である。
【図５】図１のプリンタの使用手順を示す第３の図である。
【図６】図１のプリンタの使用手順を示す第４の図である。
【図７】図１のプリンタの使用手順を示す第５の図である。
【図８】図１のプリンタの使用手順を示す第６の図である。
【図９】図１のプリンタの用紙受け装置を示す斜視図である。
【図１０】図９の用紙受け装置の排出サポートを示す第１の斜視図である。
【図１１】図９の用紙受け装置の排出サポートを示す第２の斜視図である。
【図１２】図９の用紙受け装置の排出サポートを示す第３の斜視図である。
【図１３】図９の用紙受け装置の前部上フックの詳細を示す三面図である。
【図１４】図９の用紙受け装置のフックホルダの詳細を示す斜視図である。
【図１５】図１４及び図１５の前部上フック部材の動作を示す側面図である。
【図１６】図９の用紙受け装置のシート部材の詳細を示す斜視図である。
【図１７】図９の用紙受け装置の後方排紙モードであって巻上抑止モードである状態を示す図である。
【図１８】図９の用紙受け装置の後方排紙モードであって折曲防止モードである状態を示す図である。
【図１９】図９の用紙受け装置の前方排紙モードである状態を示す図である。
【符号の説明】
【００５８】
１００  プリンタ、１１０  給紙部、１１１  ロール紙ホルダ、１１２  ロール紙カバー、１１３  スピンドル、１１４  スピンドル受け、１１５  スピンドル受け、１２０  印刷部、１２１  プリントヘッド、１２２  キャリッジ、１２３  ＦＦＣ、１２４  インクチューブ、１２５  上蓋、１２６  前蓋、１２７  レール、１２８  キャリッジベルト、１３０  排紙部、１３１  排紙ガイド、１３２  サイドカバー、１４０  脚部、１４１  コロ、１４２  支持柱、１４３  補強棒、１５０  カートリッジホルダ、４００  用紙受け装置、４１０  後部フック部材、４２０  前部上フック部材、４３０  前部下フック部材、４３５  フックホルダ、４４０  シート部材、４４１、４４２、４４３  シャフト、４５０  排紙サポート、４５１  装着部、４５２  サポート部、４５１ｅ、４５２ｅ  係止用凸部
【図１】
2007062977.tif 000003
【図２】
2007062977.tif 000004
【図３】
2007062977.tif 000005
【図４】
2007062977.tif 000006
【図５】
2007062977.tif 000007
【図６】
2007062977.tif 000008
【図７】
2007062977.tif 000009
【図８】
2007062977.tif 000010
【図９】
2007062977.tif 000011
【図１０】
2007062977.tif 000012
【図１１】
2007062977.tif 000013
【図１２】
2007062977.tif 000014
【図１３】
2007062977.tif 000015
【図１４】
2007062977.tif 000016
【図１５】
2007062977.tif 000017
【図１６】
2007062977.tif 000018
【図１７】
2007062977.tif 000019
【図１８】
2007062977.tif 000020
【図１９】
2007062977.tif 000021